(57)【特許請求の範囲】
【請求項１】
第１の板金部品の端縁部に背切り継手用の段差部を設け、該段差部の内側に第２の板金部品を填め込んで、両板金部品面が同一平面上になるように接合すると共に、前記段差部に、板金部材を凸状に曲げて両端部に取り付け座面を有するように形成したブラケットを、各取り付け座面が段差部上に重合するよう取り付ける板金部品の組付構造において、
前記第１の板金部品の段差部の、前記ブラケットの取り付け座面が取り付けられる部分に、取り付け座面に対応する形状の切欠き部を設けたことを特徴とする板金部品の組付構造。
【請求項２】
ブラケットの凸状となる頂部所要位置に、第１の板金部品の段差部と第２の板金部品とを溶接するための溶接孔を設けた請求項１記載の板金部品の組付構造。
【発明の詳細な説明】
【０００１】
【発明の属する技術分野】
本発明は、２枚の板金部品が接合される背切り継手部分に、取り付け座面を有するブラケットを取り付ける板金部品の組付構造に関するものである。
【０００２】
【従来の技術】
従来より、２枚の板金部品を接合する場合、図６に示すように、一方の板金部品１の端縁部に段差部１ａを形成し、他方の板金部品２をこの段差部１ａの内側に組み入れて、両板金部品１，２面が同一平面上になるようにし、スポット溶接等により固着させる、背切り継手と呼ばれる接合方法が用いられている。
【０００３】
この背切り継手部分に、ブラケット、例えば、板金部材を台形状に曲げて両端部に取り付け座面を有するように形成したものを取り付ける場合には、図７に示すように、そのブラケット３の取り付け座面３ａの一部を、前記段差部１ａ（図６参照）の形状に合わせて絞り型で成型し、これを段差部１ａの表面に組み付けて、×印位置をスポット溶接して接合するという方法を用いることができる。
【０００４】
あるいは、前述の如くブラケット３の取り付け座面３ａの一部を絞り型で成型せずに、図８に示すように、板金部品１の段差部１ａをブラケット３の取り付け幅ｗだけ部分的に切除して取り付け部１ｃを形成し、この取り付け部１ｃにブラケット３を填め込んで、所定位置をスポット溶接し、ブラケット３を板金部品１に固定する等の方法もある。
【０００５】
【発明が解決しようとする課題】
しかしながら、従来の上記板金部品１，２の組付構造のうち、ブラケット３の取り付け座面３ａの一部を絞り型で成型する方法においては、付加されたその成型工程によってコスト高になるという問題があった。
【０００６】
また、板金部品１の段差部１ａを部分的に切除する方法においては、図８に示すように、切除して形成された取り付け部１ｃの幅ｗ内で、ブラケット３の取り付け座面３ａが板金部品２に当接する仮想線部以外の部分において、スポット溶接ができない範囲ｎが存在するため、十分な接合強度が得られないという不具合があり、且つ、取り付け部１ｃのために、板金部品１，２間に大きな隙間Ｓが生じることになり、シール性が低下する。特に、板金部品１，２の前記背切り継手部分をシールする必要がある場合に、そうした必要を満たせないという問題があった。
【０００７】
本発明は、上述した従来の問題点を解消して、２枚の板金部品の背切り継手部分において、十分な接合強度とシール性が得られる、低コストで簡単な構成の板金部品の組付構造を提供することを目的としている。
【０００８】
【課題を解決するための手段】
本発明は、第１の板金部品の端縁部に背切り継手用の段差部を設け、該段差部の内側に第２の板金部品を填め込んで、両板金部品面が同一平面上になるように接合すると共に、前記段差部に、板金部材を凸状に曲げて両端部に取り付け座面を有するように形成したブラケットを、各取り付け座面が段差部上に重合するよう取り付ける板金部品の組付構造において、
前記第１の板金部品の段差部の、前記ブラケットの取り付け座面が取り付けられる部分に、取り付け座面に対応する形状の切欠き部を設けたことを特徴とする板金部品の組付構造にかかるものである。
【０００９】
前記板金部品の組付構造においては、ブラケットの凸状となる頂部所要位置に、第１の板金部品の段差部と第２の板金部品とを溶接するための溶接孔を設けることもできる。
【００１０】
上記手段によれば、以下のような作用が得られる。
【００１１】
第１の板金部品の切欠き部にブラケットの取り付け座面を填め込み、両者を接合すると、切欠き部は、ブラケットの取り付け座面の一部によってほとんど塞がれるようになるため、あたかも段差部には切欠き部が無く、連続しているように見なすことができ、ブラケットの取り付け座面と段差部とを一つの同じ部材と見なすことができ、更に、第１の板金部品の段差部の内側に第２の板金部品を填め込んで、第１の板金部品と第２の板金部品を接合する際には、ブラケットの取り付け座面と第２の板金部品が当接している部分も接合することが可能となり、接合強度が低下することはなく、また、切欠き部においては、第２の板金部品と第１の板金部品との隙間も、ブラケットの取り付け座面により、ほとんど塞がるため、シール性の低下が抑えられる。
【００１２】
また、ブラケットの凸状となる頂部所要位置に、第１の板金部品の段差部と第２の板金部品とを溶接するための溶接孔を設けると、該溶接孔を介して第１の板金部品１のブラケットで覆われた段差部と第２の板金部品とを溶接することが可能となり、第１の板金部品と第２の板金部品の接合強度がより高められる。
【００１３】
【発明の実施の形態】
以下、本発明の実施の形態を図示例と共に説明する。
【００１４】
図１において、第１の板金部品である板金部品１の端縁部に背切り継手用の段差部１ａが形成されて、この段差部１ａの内側に第２の板金部品である板金部品２の端縁部が填め込まれ、両板金部品１，２面が同一平面上になるように、スポット溶接により接合されて背切り継手を構成している。
【００１５】
一方、ブラケット３は、板金部材を凸状に曲げ、本図示例では台形形状に曲げて、両端部に取り付け座面３ａを有するように形成したもので、ブラケット３の凸状となる頂部には取り付け孔３ｂが設けられ、その裏面側には図示していないナット等が溶接されている。
【００１６】
板金部品１の段差部１ａには、ブラケット３の取り付け座面３ａが対向する部分、即ち、取り付け座面３ａの当接面に対応する部分が切除されて、切欠き部１ｂが形成されており、図２に示すように、この切欠き部１ｂに、ブラケット３の取り付け座面３ａが填め込まれ、板金部品１と板金部品２に当接している部分の×印において、それぞれスポット溶接されることにより接合されている。
【００１７】
上記板金部品１，２の組付構造の製作工程について説明する。図３に示すように、先ず、板金部品１の切欠き部１ｂにブラケット３の取り付け座面３ａを填め込み、取り付け座面３ａが板金部品１に当接している部分の所要位置、例えば×印においてスポット溶接する。この時、板金部品１に対してブラケット３は、強固に接合することができ、しかも、切欠き部１ｂは、ブラケット３の斜線部で示す部分によってほとんど塞がれるようにすることができるため、あたかも段差部１ａには切欠き部１ｂが無く、連続しているように見なすことができ、ブラケット３の斜線部と段差部１ａとを一つの同じ部材と見なすことができる。
【００１８】
その後、図２に示すように、板金部品１の段差部１ａの内側に板金部品２を填め込んで、段差部１ａの所定位置にスポット溶接を行い、板金部品１と板金部品２を接合する。ブラケット３の取り付け座面３ａと板金部品２が当接している部分も×印においてスポット溶接を行うが、これにより、間接的に板金部品２と板金部品１とが結合されるので、接合強度が低下することはない。
【００１９】
同時に、切欠き部１ｂにおいては、図４に示すように、板金部品２と板金部品１との隙間Ｓも、ブラケット３の取り付け座面３ａが矢印部分においてスポット溶接されることにより、ほとんど塞がるため、シール性の低下が抑えられる。
【００２０】
尚、ブラケット３に取り付け孔３ｂを設ける必要がない場合には、スポット溶接のためのチップを挿入するための取り付け孔３ｂのような溶接孔を、ブラケット３の所定位置に、あえて形成するようにしても良く、このようにすれば、図５に示すように、前記溶接孔（図５中の３ｂに相当）を介して図示していない溶接用のチップを挿入し、矢印のように板金部品１の段差部１ａにスポット溶接を行い、板金部品１と板金部品２の接合強度を補強することができる。
【００２１】
【発明の効果】
以上説明したように、本発明の請求項１記載の板金部品の組付構造によれば、第１の板金部品の段差部の、ブラケットの取り付け座面が取り付けられる部分に、取り付け座面に対応する形状の切欠き部が形成されており、この切欠き部にブラケットの取り付け座面を填め込んで第１の板金部品に接合してから、前記第２の板金部品を接合するので、第１の板金部品とブラケットの接合強度が高まり、第１の板金部品の段差部にあたかも切欠き部が無く、連続しているように見なすことができ、且つ、填め込んだ取り付け座面と段差部とを一つの同じ部材と見なすことができ、第１の板金部品と第２の板金部品の接合強度が低下するのを防止することができる。
【００２２】
しかも、第１の板金部品の切欠き部における第２の板金部品との隙間はブラケットでほとんど塞がれるので、シール性の低下を極力抑えることができ、これらの効果を、低コストで簡単な構成にて実現することができる。
【００２３】
又、本発明の請求項２記載の板金部品の組付構造によれば、ブラケットの溶接孔を介して、第１の板金部品のブラケットで覆われた段差部と第２の板金部品とを溶接することができ、第１の板金部品と第２の板金部品との接合強度をより高めることができる。
【図面の簡単な説明】
【図１】本発明を実施する形態の一例を示す板金部品の組付構造の一部分解斜視図である。
【図２】本発明を実施する形態の一例を示す板金部品の組付構造の斜視図である。
【図３】第１の板金部品とブラケットを接合した状態を示す斜視図である。
【図４】図２のＩＶ−ＩＶ断面を示す断面図である。
【図５】図２のＶ−Ｖ断面を示す断面図である。
【図６】従来の背切り継手による板金部品の接合状態を示す側断面図である。
【図７】従来のブラケットの取り付け座面を絞り型により成型した状態を示す斜視図である。
【図８】従来の板金部品の背切り継手用の段差部を部分的に切除した接合状態を示す斜視図である。
【符号の説明】
１          第１の板金部品
１ａ        段差部
１ｂ        切欠き部
２          第２の板金部品
３          ブラケット
３ａ        取り付け座面
【図１】
0003861111.tif 000002
【図２】
0003861111.tif 000003
【図３】
0003861111.tif 000004
【図４】
0003861111.tif 000005
【図５】
0003861111.tif 000006
【図６】
0003861111.tif 000007
【図７】
0003861111.tif 000008
【図８】
0003861111.tif 000009